(57)【特許請求の範囲】
【請求項１】
消火剤を供給する配管に接続された第１の消火設備機器及び当該第１の消火設備機器に接続された第２の消火設備機器を備えた消火設備に於いて、
前記第１の消火設備機器は、前記第１の消火設備機器の内径毎に設定された内径識別色が外部から視認可能な部位に着色され、
前記第２の消火設備機器は、前記第１の消火設備機器に設定された内径識別色が外部から視認可能な部位に着色されたことを特徴とする消火設備。
【請求項２】
請求項１記載の消火設備に於いて、前記第１及び第２の消火設備機器の機器本体の一部に前記内径識別色が着色されたことを特徴とする消火設備。
【請求項３】
請求項１記載の消火設備に於いて、前記第１及び第２の消火設備機器に設けた銘板の一部又は全部に前記内径識別色が着色されたことを特徴とする消火設備。
【請求項４】
請求項１記載の消火設備に於いて、前記第１及び第２の消火設備機器に設けたカバーの一部又は全部に前記内径識別色が着色されたことを特徴とする消火設備。
【請求項５】
請求項１記載の消火設備に於いて、前記第１及び第２の消火設備機器に設けた操作部位の一部又は全部に前記内径識別色が着色されたことを特徴とする消火設備。
【請求項６】
請求項１記載の消火設備に於いて、前記第１及び第２の消火設備機器に設けた表示部の一部又は全部に前記内径識別色が着色されたことを特徴とする消火設備。
【請求項７】
請求項１記載の消火設備に於いて、前記内径識別色は、前記第１及び第２の消火設備機器の安全色及び配管系の識別表示色以外の色であることを特徴とする消火設備。
【請求項８】
請求項１記載の消火設備に於いて、前記内径識別色は、前記第１及び第２の消火設備の機器本体の色とは異なる色であることを特徴とする消火設備。
【請求項９】
請求項１記載の消火設備に於いて、前記内径識別色は、カラーユニバーサルデザイン推奨色であることを特徴とする消火設備。
【請求項１０】
請求項１記載の消火設備に於いて、前記第１及び第２の消火設備機器は、流水検知装置、一斉開放弁、スプリンクラーヘッド、制御弁、排水弁、ガスケット及び圧力計の何れかを含むことを特徴とする消火設備。
【請求項１１】
請求項１乃至１０の何れかに記載の消火設備に於いて、前記内径識別色が着色された第１及び第２の消火設備機器が接続された設置状態で、当該内径識別色の全てが所定の一方向から視認可能であることを特徴とする消火設備。
【請求項１２】
請求項１記載の消火設備に於いて、更に、前記第１及び第２の消火設備機器を収納して運搬する梱包箱を備え、前記梱包箱に前記第１及び第２の消火設備機器に着色された内径識別色を外部から視認可能な開口を設けたことを特徴とする消火設備。
【発明の詳細な説明】
【技術分野】
【０００１】
本発明は、消火ポンプより加圧供給される消火用水をヘッドに供給して散水を行う消火設備に関する。
【背景技術】
【０００２】
従来の消火設備としての例えばスプリンクラー消火設備は、消火ポンプからの給水本管に対し階別に分岐管を接続し、分岐管の引き出し部分に制御弁と流水検知装置を配置した後に防護区画にスプリンクラーヘッドを設置し、更に分岐管の末端に末端試験弁を設けている。
【０００３】
このような消火設備にあっては、制御弁、流水検知装置、スプリンクラーヘッド、末端試験弁、圧力計等の機器毎に性能上必要な内径が選択され、設備設計を行って施工している。
【先行技術文献】
【特許文献】
【０００４】
【特許文献１】特開２００４−２８３２８６号公報
【特許文献２】特開２００４−２９０４３０号公報
【発明の概要】
【発明が解決しようとする課題】
【０００５】
ところで従来の設備機器、例えば流水検知装置にあっては、内径に応じてフランジ間の長さとなる面間寸法が異なっており、面間寸法を見ることで内径の相違を識別することが可能であったが、近年にあっては、コストダウン設計のために例えば弁箱のモジュール化を図っており、内径が異なっても面間寸法が同一或いは類似する傾向にある。
【０００６】
このため消火設備の製造現場において、フランジ寸法が異なっていても面間寸法が同一又は類似しているために、特定の内径機器を製造しているロットに別の内径の機器が混入する問題が発生する恐れがある。
【０００７】
また、設置現場においても、配管や機器を一別するだけでは内径を判別することができず、内径の特定には経験や勘に頼っている部分もあり、故障した機器を置き換える際に誤った内径の機器を選定したり、消火設備をリニューアルする場合の配管の内径確認に手間と時間がかかるという問題もある。
【０００８】
本発明は、内径の相違が外観から識別困難であっても簡単且つ確実に内径を識別可能とする消火設備を提供することを目的とする。
【課題を解決するための手段】
【０００９】
本発明は、消火剤を供給する配管に接続された第１の消火設備機器及び当該第１の消火設備機器に接続された第２の消火設備機器を備えた消火設備に於いて、第１の消火設備機器は、第１の消火設備機器の内径毎に設定された内径識別色が外部から視認可能な部位に着色され、第２の消火設備機器は、第１の消火設備機器に設定された内径識別色が外部から視認可能な部位に着色されたことを特徴とする。
【００１０】
ここで、第１及び第２の消火設備機器の機器本体の一部に内径識別色が着色されている。
【００１１】
第１及び第２の消火設備機器に設けた銘板の一部又は全部に内径識別色が着色されている。
【００１２】
第１及び第２の消火設備機器に設けたカバーの一部又は全部に内径識別色が着色されている。
【００１３】
第１及び第２の消火設備機器に設けた操作部位の一部又は全部に内径識別色が着色されている。
【００１４】
第１及び第２の消火設備機器に設けた表示器の一部又は全部に内径識別色が着色されている。
【００１５】
内径識別色は、第１及び第２の消火設備機器の安全色及び配管系の識別表示色以外の色である。
【００１６】
内径識別色は、第１及び第２の消火設備の機器本体の色とは異なる色である。
【００１７】
内径識別色は、カラーユニバーサルデザイン推奨色を使用する。
【００１８】
第１及び第２の消火設備機器は、流水検知装置、一斉開放弁、スプリンクラーヘッド、制御弁、排水弁、ガスケット及び圧力計の何れかを含む。
【００１９】
また、内径識別色が着色された第１及び第２の消火設備機器が接続された設置状態で、当該内径識別色の全てを所定の一方向から視認可能とし、更に、第１及び第２の消火設備機器を収納して運搬する梱包箱を備え、梱包箱に第１及び第２の消火設備機器に着色された内径識別色を外部から視認可能な開口を設ける。
【発明の効果】
【００２０】
本発明によれば、消火設備機器となる制御弁、流水検知装置等の内径の相違が内径識別色の機器着色によって簡単且つ確実に認識することができ、特定の内径機器を製造しているロットに別の内径機器が混入することや誤って梱包してしまうことを確実に防止できる。
【００２１】
また、設置現場においても、配管や機器を一別するだけで内径識別色から内径を判別することができ、故障した機器を置き換える際に誤った内径の機器を選定することがなく、また消火設備をリニューアルする場合の配管の内径確認も簡単且つ確実に短時間できる。
【００２２】
また、内径識別色として色弱者を考慮したカラーユニバーサルデザインに従った色を着色しているため、色覚の多様性に対応して内径識別色から機器内径を容易に区別可能とし、製造現場や設置現場での内径の誤認を防止できる。
【００２３】
また、梱包箱に機器に着色した内径識別色を外部から視認可能な開口を設けたため、設置現場で内径の異なる機器を誤って運搬してしまうことを確実に防止できる。このように誤った機器を運搬してしまった場合、機器を誤って設置するようなことはないが、エレベータ等を使用する場合に運転時間が限られている現場もあり、運搬先で誤りに気付いて運びなおしたりしていると作業能率が著しく低下するが、これを未然に回避できる。
【図面の簡単な説明】
【００２４】
【図１】本発明が適用されるスプリンクラー消火設備を示した説明図
【図２】本発明による流水検知装置の実施形態を正面及び側面について示した説明図
【図３】本実施形態における流水検知装置の内径、各部寸法及び内径識別色の関係を示した説明図
【図４】図３における内径６５Ａ，８０Ａ，１００Ａの流水検知装置を並べて示し説明図
【図５】図３における内径１２５Ａ，１５０Ａの流水検知装置を並べて示し説明図
【図６】ＪＩＳで規定する安全色・安全標識と配管系の識別表示を一覧で示した説明図
【図７】カラーユニバーサルデザイン推奨色を用いた本発明で使用する内径識別色を一覧で示した説明図
【図８】本発明によるバタフライ型の制御弁の実施形態を正面および平面で示した説明図
【図９】図２の流水検知装置と図８の制御弁の分岐管に対する設置状態を示した説明図
【図１０】図９における流水検知装置と制御弁の内径識別色の着色部分を取り出して示した説明図
【図１１】図２の流水検知装置とゲート型の制御弁の分岐管に対する設置状態を示した説明図
【図１２】図１１における流水検知装置と制御弁の内径識別色の着色部分を取り出して示した説明図
【図１３】他の実施形態となる流水検知装置とバタフライ型の制御弁の分岐管に対する設置状態を示した説明図
【図１４】図１３における流水検知装置と制御弁の内径識別色の着色部分を取り出して示した説明図
【図１５】他の実施形態となる流水検知装置とゲート型の制御弁の分岐管に対する設置状態を示した説明図
【図１６】図１５における流水検知装置と制御弁の内径識別色の着色部分を取り出して示した説明図
【発明を実施するための形態】
【００２５】
図１は本発明が適用される消火設備としてスプリンクラー消火設備を示した説明図である。図１において、スプリンクラー消火設備１０は地下階などにモータ１２により駆動されるポンプ１４を設置しており、ポンプ１４はポンプ制御盤１６により始動及び停止が制御される。ホンプ１４に対しては呼水槽１５が設けられる。
【００２６】
ポンプ１４からは給水本管２２が引き出されて建物の階方向に立ち上がっている。給水本管２２に対しては圧力タンク１８が分岐接続されており、給水本管２２内に充填している加圧消火用水を導入し、内部の空気を圧縮し、圧力検出スイッチ２０により圧力低下を監視している。
【００２７】
給水本管２２には階別に分岐管２４が引き出されている。分岐管２４の取出し部分には制御弁２６と流水検知装置２８が設けられている。流水検知装置２８の２次側の分岐管２５は防護区画の天井側に配管されており、閉鎖型のスプリンクラーヘッド３０を複数接続している。分岐管２５の末端側には末端試験弁３２が設けられ、末端試験弁３２の２次側は排水管に接続されている。
【００２８】
火災による熱を受けてスプリンクラーヘッド３０が作動すると、消火用水が放水され、これによって分岐管２５，２４を介して給水本管２２の管内圧力が低下し、この圧力低下を圧力タンク１８の圧力検出スイッチ２０で検出し、これを受けてポンプ制御盤１６がモータ１２によりポンプ１４を始動する。ポンプ１４の始動で供給された加圧消火用水は、制御弁２６から流水検知装置２８を通り、作動したスプリンクラーヘッド３０から放水される。
【００２９】
制御弁２６は常時開状態に置かれている。流水検知装置２８は通常監視状態にあっては、内蔵した弁機構が閉じており、スプリンクラーヘッド３０が作動して消火用水が流れると、これによって弁体が開放して流水検知スイッチを作動し、流水検知信号を破線で示す信号線を介して防災監視盤などに出力して火災警報表示を行う。
【００３０】
このようなスプリンクラー消火設備１０にあっては、消火ポンプ１４からスプリンクラーヘッド３０に至るまでの配管系及び配管に設けた設備機器につき、その消火性能に見合った内径の機器が選定されている。
【００３１】
図２は本発明の水系消火設備機器として流水検知装置の実施形態を正面及び側面について示した説明図である。図２において、流水検知装置２８は弁箱を構成する本体３４の下側に１次側フランジ３６を形成すると共に上側に２次側フランジ３８を形成しており、本体３４内には流水により開放作動する弁体を収納している。
【００３２】
本体３４の左側には流水検知部４０が設けられ、本体３４に内蔵した弁体が開くと、これに連動して流水検知スイッチが作動して流水検知信号を外部に出力する。本体３４の１次側には圧力計４６が設けられ、また２次側には圧力計５０が設けられている。圧力計４６，５０はそれぞれ本体３４から取り出した配管にコック４８，５２を介して接続しており、通常状態でコック４８，５２は開位置にセットされている。
【００３３】
本体３４の右側には排水弁４２が設けられ、排水弁４２はハンドル４３の操作で開閉することができる。更に本体３４の前面に設けたボルトで固定した蓋表面には銘板３５が設けられている。
【００３４】
本実施形態の流水検知装置２８にあっては、流水検知装置２８の内径即ち１次側フランジ３６及び２次側フランジ３８で決まる内部流路の内径に対応して、予め定めた内径識別色を着色している。本実施形態にあっては内径識別色として、斜線で示すように銘板３５、圧力計４６，５０の圧力計カバー４６ａ，５０ａ、コック４８，５２、排水弁４２のハンドル４３のそれぞれに着色している。
【００３５】
本体３４の側面の一部分３４ａには、装置の内径識別用に鋳出しにより内径サイズを数字で一体に表示している。このサイズ表示も内径毎に決められた内径識別色で着色して、サイズと色の関連を認識できるようにしてある。
【００３６】
図３は本実施形態における流水検知装置の内径サイズ、各部寸法及び内径識別色の関係を示した説明図であり、単位はミリメートルとなる。図３（Ａ）は流水検知装置２８の寸法を示しており、本体３４の上下に設けている１次側フランジ３６と２次側フランジ３８との間の距離Ｌが面間寸法となる。また本体３４の中心から排水弁４６のハンドル中心までの寸法をＡ、ハンドル端部までの寸法をＣ、更に本体３４の中心から流水検知部４０の外側までの寸法をＢとしている。
【００３７】
このような図３（Ａ）に示す流水検知装置２８の各部の寸法Ａ〜Ｃ，Ｌは、図３（Ｂ）の一覧に示すように、内径サイズに応じた値を持っている。
【００３８】
図３（Ｂ）において、流水検知装置２８の内径サイズは例えば６５Ａ，８０Ａ，１００Ａ，１２５Ａ，１５０Ａの５種類となっている。このような内径サイズの異なる流水検知装置２８について、本実施形態にあっては、本体３４の弁箱を共通化するモジュール化によりコストダウンを図っており、その結果、寸法Ａ〜Ｃ、面間距離Ｌは隣接する内径サイズの間でかなり類似、もしくは同じ寸法となっている。
【００３９】
例えば内径サイズ８０Ａと１００Ａにあっては、面間寸法ＬはＬ＝２６０，２６５となっており、その差はわずかであり、外観から見て面間寸法から両者を区別することは困難である。同様に内径サイズ１２５Ａと１５０Ａにあっては、面間寸法ＬはＬ＝２８０，２９０となっており、同様に面間寸法の相違から両者を区別することはかなり困難な状況にある。
【００４０】
このような流水検知装置２８の内径サイズの相違に対し、内径を識別するための内径識別色として、本実施形態にあっては、内径サイズ６５Ａについては「空色」、内径サイズ８０Ａについては「ピンク」、内径サイズ１００Ａについては「オレンジ」、内径サイズ１２５Ａについては「紫」、更に内径サイズ１５０Ａについては「明るいグレー」としている。このような内径識別色は、後の説明で明らかにするように、色弱者を考慮したカラーユニバーサルデザインの推奨配色セットを使用している。
【００４１】
図４は図３（Ｂ）に示した内径サイズ６５Ａ，８０Ａ，１００Ａの３種類の流水検知装置を並べて示しており、内径サイズ８０Ａと１００Ａの面間寸法Ｌは、その差が５ミリメートル程度であることから、ほとんど外観から内径の相違を区別することは困難であることが分かる。
【００４２】
図５は図３（Ｂ）における内径サイズ１２５Ａと１５０Ａの流水検知装置を取り出して並べて示している。この場合にも寸法Ａ〜Ｃが同じで、面間寸法Ｌの差は１０ミリメートルとごくわずかであるため、面間寸法の相違から内径の相違を把握することは困難であることが分かる。
【００４３】
図６はＪＩＳで規定する安全色・安全標識と配管系の識別表示を一覧で示した説明図である。本実施形態の例えば流水検知装置に着色する内径識別色は、水系消火設備に安全色・安全標識として使用されている色、及び配管系の識別表示に使用されている色以外の着色を行うようにする。
【００４４】
図６（Ａ）はＪＩＳ  Ｚ  ９１０１による「安全色・安全標識」であり、安全色として矢印で示す「赤」が「防火」に使用されており、従って本実施形態における内径識別色としては安全色としての「赤」、具体的にはマンセル値で「７．５Ｒ４／１５」を使用しないようにする。
【００４５】
図６（Ｂ）はＪＩＳ  Ｚ  ９１０２による「配管系の識別表示」であり、本発明が対象とする水系消火設備にあっては、配管内の物質は矢印で示す水であり、この場合の色の種類は「青」であることから、水を表示する配管系の識別表示色「青」を使用しないようにする。この青は、具体的にはマンセル値で「２．５ＢＢ５／８」の色である。また図６（Ｂ）における状態表示に用いる流れ方向を表示する矢印に使用する「白」「黒」も使用しないようにする。またその下の安全表示の色は、図６（Ａ）の安全色「赤」であり、これも併せて使用しないようにする。
【００４６】
図７はカラーユニバーサルデザイン推奨色を用いた本発明で使用する内径識別色を一覧で示した説明図である。ここで、カラーユニバーサルデザインとは、様々な利用者が使い易いように考えられた配色を含めた視覚情報のデザインであり、色の見え方が異なる利用者すべてに情報が正確に伝わることを目指すカラーユニバーサルデザインは公的な機関や非営利活動法人などに推し進められている。即ちカラーユニバーサルデザインの考えに基づき、色弱者が不利にならないような色使いを配慮する色覚バリアフリーを構築するため、適切なカラーユニバーサルデザイン推奨色の配色セットの提供が行われている。
【００４７】
図７に示す本実施形態で使用するカラーユニバーサルデザイン推奨色を用いた内径識別色にあっては、例えば内径サイズ４０Ａ，５０Ａ，６５Ａ，８０Ａ，１００Ａ，１２５Ａ，１５０Ａ，２００Ａとして色の種類を、
黄、
緑、
空色、
ピンク、
オレンジ、
紫、
明るいグレー、
グレー
を選定しており、それぞれ右側に示すマンセル値を持っている。
【００４８】
このようなカラーユニバーサルデザイン推奨色を内径識別色に用いることで、製造現場あるいは設置現場における色弱な傾向を持つ作業者であっても、明白に内径識別色の相違を認識して、内径を誤ることなく必要な作業を簡単且つ確実に行うことが期待される。
【００４９】
なお図７に示しているカラーユニバーサルデザイン推奨色は現在提案されている例であり、今後、様々な提案が行われることから、必ずしもこれに限定されず、適宜のカラーユニバーサルデザイン推奨色を使用することが可能である。
【００５０】
図８は本発明によるバタフライ型の制御弁の実施形態を正面（図８（Ａ））及び平面（図８（Ｂ））で示した説明図である。図８において、バタフライ型の制御弁２６は本体５６の内部にバタフライ弁体６２を開閉自在に収納しており、本体５２の前方に取り出しているインジケータ６０に内蔵したギア機構から右側に取り出したハンドル５８を操作することで、バタフライ弁体６２を開閉することができる。このようなバタフライ型の制御弁２６につき、本実施形態の内径表示色は、弁の開閉操作を行うハンドル５８と開閉を示す表示部となるインジケータ６０のそれぞれに着色している。
【００５１】
図９は図２の流水検知装置と図８の制御弁の分岐管に対する設置状態を示した説明図である。図９において、１次側の分岐管２４には制御弁２６が配置され、制御弁２６の上に流水検知装置２８が配置され、その上に分岐管２５を配置して接続している。このような制御弁２６及び流水検知装置２８には、内径を示す内径表示色が図２及び図８に示したように着色されているが、図９は説明を簡単にするため内径表示色の着色は示しておらず、図１０に図９における流水検知装置と制御弁の内径識別色の着色部分を実線で取り出して示し、それ以外の部分は想像線で示している。
【００５２】
制御弁２６及び流水検知装置２８の分岐管２４，２５に対する設置状態にあっては、特定の内径サイズ例えば内径１２５Ａに対応した「紫」となる内径識別色が、図１０に斜線で示すように、制御弁２６についてはハンドル５８とインジケータ６０に着色され、流水検知装置２８にあっては、銘板３５、排水弁のハンドル４３、圧力計カバー４６ａ，５０ａ、圧力計のコック４８，５２、更に２次側のガスケット５４に着色されている。
【００５３】
この図１０に示すような制御弁２６及び流水検知装置２８に対する内径識別色の着色状態から、内径識別色が同じ「紫」に統一されていることで、内径サイズ１２５Ａに対応した機器の設置状態にあることが一瞥して把握することができる。
【００５４】
なお、本実施形態にあっては、流水検知装置２８の排水弁に設けたハンドル４３についても、本体の内径サイズと同じ内径識別色を着色しているが、図９に示すように排水弁４２には排水管４４が接続されており、排水管４４の内径に対応した内径識別色をハンドル４３に着色するようにしてもよい。例えば排水管４４を接続する排水弁４２の内径が４０Ａであった場合には、図７に示すように「黄」の内径識別色をハンドル４３に着色する。
【００５５】
着色時に内径サイズを数字で同時に表示しても良く、サイズ表示の文字色を内径識別色で着色しても良い。
【００５６】
また、上記の実施形態では圧力計４６，５０の識別表示を本体の内径を示す識別色で着色することで、特定の内径の流水検知装置専用の圧力計として識別表示がされているが、これに限らず、圧力計は内径サイズの異なる複数の流水検知装置に共用されることがあり、圧力計はメンテナンス時に装置本体から取り外され交換されることがあることから、圧力計が接続されるコック４８，５２付近に、圧力計接続部の配管の内径を識別表示し、圧力計にも自身が接続される接続管の径を識別表示することで、圧力計と流水検知装置本体の組み合わせを間違うことなく組み立てができるようにしても良い。
【００５７】
図１１は図２の流水検知装置とゲート型の制御弁の分岐管に対する設置状態を示した説明図である。図１１において、流水検知装置２８は図２に示したとおりであり、その１次側にゲート型の制御弁６４を設置している。制御弁６４は前方に大型のハンドル６８を設けており、ハンドル６８を回すことで、本体６６の内部に収納しているゲート型の弁体を弁座に対し昇降して開閉することができる。
【００５８】
図１２は図１１における流水検知装置と制御弁の内径識別色の着色部分を取り出して示した説明図である。図１２において、流水検知装置２８は図１０の場合と同様であり、銘板３５、排水弁のハンドル４３、コック４８，５２及び圧力計カバー４６ａ，５０ａに、内径に対応した斜線で示す内径識別色を着色している。
【００５９】
またゲート型の制御弁６４については、操作部となるハンドル６８の中心にある銘板６７に、斜線で示すように流水検知装置２８と同じ内径を示す内径識別色を着色しており、更に１次側及び２次側のフランジ部分に介在したガスケット７０，７２についても、同じ内径を示す内径識別色を斜線で示すように着色している。
【００６０】
図１３は他の実施形態となる流水検知装置とバタフライ型の制御弁の分岐管に対する設置状態を示した説明図である。図１３において、流水検知装置１２８は、図２のように本体を弁箱としてモジュール化しておらず、紡錘形状を持った本体１３４の形状としている。本体１３４の下側には１次側フランジ１３６が設けられ、その１次側にバタフライ型の制御弁１２６を配置している。
【００６１】
２次側には２次側フランジ１３８が設けられ、ガスケット１５４を介して分岐管２５のフランジを連結している。本体１３４の前方の蓋部分には銘板１３５が配置されている。また弁本体１３４の１次側にはハンドル１４８を介して圧力計１４６が設けられ、２次側にはハンドル１５２を介して圧力計１５０が設けられている。
【００６２】
本体１３４の右側には排水弁１４２が設けられ、ハンドル１４３により開閉することができ、下側に排水管１４４を連結している。また排水弁１４２の後方にはコック１４１を介して流水検知部１４０が設けられており、スプリンクラーヘッドの作動により流水が生じて本体１３４内の弁体が開くと、流水検知部１４０のスイッチが作動して流水検知信号を外部に出力する。
【００６３】
また排水弁１４２の横からは信号停止弁レバー１４５が取り出されており、信号停止弁レバー１４５を操作することで流水検知部１４０による流水検知信号の出力を停止することができる。
【００６４】
流水検知装置１２８の１次側に配置された制御弁１２６は、ハンドル１５８の操作により本体１６６に収納したバタフライ弁体を開閉することができ、ハンドル１５８の操作に伴い前方に張出し配置しているインジケータ１６０により開閉状態を表示する。
【００６５】
図１４は図１３における流水検知装置と制御弁の内径識別色の着色部分を取り出して示した説明図である。図１４において、バタフライ型の制御弁１２６は、ハンドル１５８とインジケータ１６０に対応する内径に対応した内径識別色を斜線で示すように着色している。
【００６６】
また流水検知装置１２８にあっては、銘板１３５、圧力計カバー１４６ａ，１５０ａ、圧力計に対するハンドル１４８，１５２、排水弁のハンドル１４３、流水検知部に対するコック１４１、信号停止弁レバー１４５、更に２次側のフランジ部分に設けたガスケット１５４に、制御弁１２６と同じ内径を示す内径識別色に斜線で示すように着色している。
【００６７】
このような内径識別色の着色により、一瞥して制御弁１２６及び流水検知装置１２８を含む配管系統の内径を知ることができ、また各機器が同じ内径のものとして選定されて設置することができる。
【００６８】
図１５は他の実施形態となる流水検知装置とゲート型の制御弁の分岐管に対する設置状態を示した説明図である。図１５において、流水検知装置１２８は図１３に示したと同じであり、ゲート型の制御弁６４は図１１に示したものと同じである。
【００６９】
図１６は図１５における流水検知装置と制御弁の内径識別色の着色部分を取り出して示した説明図である。図１６において、ゲート型の制御弁６４については、ハンドル１６８と１次側及び２次側に設けたガスケット１７０，１７２のそれぞれに、内径識別色を斜線で示すように着色している。また流水検知装置１２８にあっては、図１４の場合と同様であり、銘板１３５、圧力計カバー１４６ａ，１５０ａ、圧力計に対するハンドル１４８，１５２、排水弁のハンドル１４３、流水検知部に対するコック１４１、信号停止弁レバー１４５、更に２次側のフランジに設けたガスケット１５４のそれぞれに、斜線で示すように内径識別色を着色している。
【００７０】
このような制御弁６４及び流水検知装置１２８に対する内径識別色の着色により、この配管系統における同じ内径識別色の着色から正しい内径選定が行われていることが一瞥して把握できる。装置に接続される配管にも、接続可能な装置の内径にあわせた図７の識別表示で着色することで、径の異なる配管との接続を防ぐことができる。
【００７１】
更に、本発明の他の実施形態として、例えば図２に示した流水検知装置２８を梱包して現場に搬送する梱包箱について、流水検知装置２８に着色している内径識別色、例えば銘板３５を外部から見ることのできる開口を設け、流水検知装置２８の梱包状態にあっても、梱包している収納機器の内径識別色を外部から見えるようにする。これによって、梱包した機器を現場に搬送する際に内径識別色を見て内径を把握し、誤った内径の機器を搬入してしまうことを未然に防止できる。梱包箱が同じものを使用した場合では、内容の確認をすることができる。また、梱包箱の表面に内径識別色を表示しても良く、この場合は梱包時に誤った内径の機器を梱包することを防ぐことができる。
【００７２】
なお、上記の実施形態は図１に示したスプリンクラー消火設備における制御弁２６と流水検知装置２８の配置部分を例に取って内径識別色の着色を示しているが、これ以外の機器として、例えばスプリンクラーヘッド３０や末端試験弁３２などについても同様に、それぞれの内径に対応した内径識別色を着色している。
【００７３】
また、本発明は図１に示したスプリンクラー消火設備１０に限定されず、加圧消火用水を使用して連続的に放水して消火する消火設備であれば適宜の消火設備を含み、また泡消火薬液を混合器で混合して泡消火を行う泡消火設備、ガス消火設備についても同様に適用することができる。
【００７４】
また、上記の実施形態にあっては、内径識別色を着色する部分として、銘板、コックやハンドルなどの操作部、圧力計などのカバー部、弁開閉を示すインジケータの一部または全部を例に取っているが、これ以外の場所であっても、適宜の場所に内径識別色を着色してもよいことはもちろんである。
【００７５】
また本発明はその目的と利点を損なうことのない適宜の変形を含み、更に上記の実施形態に示した数値による限定は受けない。
【符号の説明】
【００７６】
２６，６４，１２６：制御弁
２８，１２８：流水検知装置
３０：スプリンクラーヘッド
３５，６７，１３５：銘板
４２，１４２：排水弁
４３，５８，６８，１４３，１４８，１５２：ハンドル
４６，５０，１４６，１５０：圧力計
４６ａ，５０ａ，１４６ａ，１５０ａ：圧力計カバー
４８，５２，１４１：コック
５４，７０，７２，１５４，１７０，１７２：ガスケット
６０，１６０：インジケータ
１４５：信号停止弁レバー
【図１】
0005814519.tif 000002
【図２】
0005814519.tif 000003
【図３】
0005814519.tif 000004
【図４】
0005814519.tif 000005
【図５】
0005814519.tif 000006
【図６】
0005814519.tif 000007
【図７】
0005814519.tif 000008
【図８】
0005814519.tif 000009
【図９】
0005814519.tif 000010
【図１０】
0005814519.tif 000011
【図１１】
0005814519.tif 000012
【図１２】
0005814519.tif 000013
【図１３】
0005814519.tif 000014
【図１４】
0005814519.tif 000015
【図１５】
0005814519.tif 000016
【図１６】
0005814519.tif 000017